(57)【特許請求の範囲】
【請求項１】
隣接する建物Ａと建物Ｂとの隙間Ｓに亘って設けられるエキスパンション手摺りであって、
一方の建物Ａ側の手摺り１Ａの端部支柱４と、これに対向する他方の建物Ｂ側の手摺り１Ｂの端部支柱４との間に、夫々上下横枠５，６及び左右縦枠７，８からなる周枠９を有する一対のジョイント手摺り２，３を夫々一部が引き違い式に重なり合うように配置し、両ジョイント手摺り２，３の互いに重なり合う上下横枠５，６どうしを一対の横枠連結手段１０によって手摺り長手方向スライド可能に連結し、両ジョイント手摺り２，３の互いに重なり合う縦枠７とは反対側の縦枠８をこれに隣接する前記端部支柱４に対しスライド回転ヒンジ１１によって上下方向スライド可能で且つ回転可能に連結してなり、前記一対の横枠連結手段１０は、前記スライド回転ヒンジ１１に連結される前記縦枠８側とは反対側の前記両ジョイント手摺り２，３の夫々遊端側に設けられ、そのうち一方の横枠連結手段１０は、一方のジョイント手摺り２の上横枠５と下横枠６とに上方及び下方から夫々横枠長手方向スライド可能に嵌合する断面コ字状のスライドガイド２２を夫々有するガイド取付片２３を、他方のジョイント手摺り３の上横枠５と下横枠６との遊端側に夫々ビス２４で取り付けると共に、他方の横枠連結手段１０は、他方のジョイント手摺り３の上横枠５と下横枠６とに上方及び下方から夫々横枠長手方向スライド可能に嵌合する断面コ字状のスライドガイド２２を夫々有するガイド取付片２３を、前記一方のジョイント手摺り２の上横枠５と下横枠６との遊端側に夫々ビス２４で取り付け、前記両スライドガイド２２に夫々合成樹脂製のパッキン２５，２６を内装すると共に、当該両スライドガイド２２の小口には夫々小口塞ぎ板２７を取り付けたことを特徴とするエキスパンション手摺り。
【請求項２】
スライド回転ヒンジ１１は、各ジョイント手摺り２，３の縦枠８に取り付けられたヒンジ部材１７と、この縦枠側ヒンジ部材１７の上部又は下部に隣接して前記端部支柱４に取り付けられたヒンジ部材１８と、両ヒンジ部材１７，１８の合計長さより長く、両ヒンジ部材１７，１８間に亘って回転可能で且つ上下スライド可能に挿通されたヒンジ軸１９とからなることを特徴とする請求項１に記載のエキスパンション手摺り。
【発明の詳細な説明】
【技術分野】
【０００１】
本発明は、隣接する建物と建物との隙間に亘って設けられるエキスパンション手摺りに関するものである。
【背景技術】
【０００２】
建物をブロックごとに分割して建築する場合、地震時に無理な力が部分的に集中しないように建物間に一定の隙間を設けるようにしている。このように一定の隙間を隔てて隣接する建物間において、例えば両建物のベランダどうしをつなぐ場合に、双方のベランダに設置される手摺りは、地震発生の際の建物間の変位に追随し得るジョイント部によって連結する必要がある。
【発明の開示】
【発明が解決しようとする課題】
【０００３】
従来、隣接する建物間において例えばベランダ間を往き来できるように連結する場合、双方のベランダに設置される手摺りどうしが建物間の変位に追随できるように連結された手摺りは提供されていない。本発明は、地震発生時における建物間変位のＸ・Ｙ・Ｚ軸の動きに、手摺りが破損することなく追随できて、安全に避難できるようにしたエキスパンション手摺りを提供することを目的とする。
【課題を解決するための手段】
【０００４】
上記課題を解決するための手段を、後述する実施形態の参照符号を付して説明すると、請求項１に係る発明は、隣接する建物Ａと建物Ｂとの隙間Ｓに亘って設けられるエキスパンション手摺りであって、
一方の建物Ａ側の手摺り１Ａの端部支柱４と、これに対向する他方の建物Ｂ側の手摺り１Ｂの端部支柱４との間に、夫々上下横枠５，６及び左右縦枠７，８からなる周枠９を有する一対のジョイント手摺り２，３を夫々一部が引き違い式に重なり合うように配置し、両ジョイント手摺り２，３の互いに重なり合う上下横枠５，６どうしを一対の横枠連結手段１０によって手摺り長手方向スライド可能に連結し、両ジョイント手摺り２，３の互いに重なり合う縦枠７とは反対側の縦枠８をこれに隣接する前記端部支柱４に対しスライド回転ヒンジ１１によって上下方向スライド可能で且つ回転可能に連結してなり、前記一対の横枠連結手段１０は、前記スライド回転ヒンジ１１に連結される前記縦枠８側とは反対側の前記両ジョイント手摺り２，３の夫々遊端側に設けられ、そのうち一方の横枠連結手段１０は、一方のジョイント手摺り２の上横枠５と下横枠６とに上方及び下方から夫々横枠長手方向スライド可能に嵌合する断面コ字状のスライドガイド２２を夫々有するガイド取付片２３を、他方のジョイント手摺り３の上横枠５と下横枠６との遊端側に夫々ビス２４で取り付けると共に、他方の横枠連結手段１０は、他方のジョイント手摺り３の上横枠５と下横枠６とに上方及び下方から夫々横枠長手方向スライド可能に嵌合する断面コ字状のスライドガイド２２を夫々有するガイド取付片２３を、前記一方のジョイント手摺り２の上横枠５と下横枠６との遊端側に夫々ビス２４で取り付け、前記両スライドガイド２２に夫々合成樹脂製のパッキン２５，２６を内装すると共に、当該両スライドガイド２２の小口には夫々小口塞ぎ板２７を取り付けたことを特徴とする。
【０００５】
【０００６】
【０００７】
請求項２は、請求項１に記載のエキスパンション手摺りにおいて、スライド回転ヒンジ１１は、各ジョイント手摺り２，３の縦枠８に取り付けられたヒンジ部材１７と、この縦枠側ヒンジ部材７の上部又は下部に隣接して前記端部支柱４に取り付けられたヒンジ部材１８と、両ヒンジ部材１７，１８の合計長さより長く、両ヒンジ部材１７，１８間に亘って回転可能で且つ上下スライド可能に挿通されたヒンジ軸１９とからなることを特徴とする。
【発明の効果】
【０００８】
上記解決手段による発明の効果を、後述する実施形態の参照符号を付して説明すると、請求項１に係る発明によれば、建物Ａ側の手摺り１Ａの端部柱４と、これに対向する建物Ｂ側の手摺り１Ｂの端部支柱４との間に、一対のジョイント手摺り２，３が夫々一部が引き違い式に重なり合うように配置されていて、両ジョイント手摺り２，３の互いに重なり合う上下横枠５，６どうしが一対の横枠連結手段１０によって手摺り長手方向スライド可能に連結され、両ジョイント手摺り２，３の互いに重なり合う縦枠７とは反対側の縦枠８がこれに隣接する前記端部支柱４に対しスライド回転ヒンジ１１によって上下方向スライド可能で且つ回転可能に連結されているから、地震発生時における建物Ａ，Ｂ間変位のＸ軸の動き、即ち手摺り長さ方向の動きに対しては両ジョイント手摺り２，３が追随することができ、Ｙ軸である手摺り高さ方向の動き、及びＺ軸の動きである手摺りの前後方向（内外方向）に対してはスライド回転ヒンジ１１が追随することができ、従って建物Ａ，Ｂ側の手摺り１Ａ，１Ｂ及びジョイント手摺り２，３が破壊したり、破損することがなく、安全に避難することができる。
【０００９】
また、前記一対の横枠連結手段１０のうちの一方の横枠連結手段１０は、一方のジョイント手摺り２の上横枠５と下横枠６とに上方及び下方から夫々横枠長手方向スライド可能に嵌合する断面コ字状のスライドガイド２２に夫々連結されたガイド取付片２３を、他方のジョイント手摺り３の上横枠５と下横枠６との遊端側に夫々取り付けると共に、他方の横枠連結手段１０は、他方のジョイント手摺り３の上横枠５と下横枠６とに上方及び下方から夫々横枠長手方向スライド可能に嵌合する断面コ字状のスライドガイド２２を夫々有するガイド取付片２３を、前記一方のジョイント手摺り３の上横枠５と下横枠６の遊端側に夫々ビス２４で取り付けてなるもので、構造がきわめて簡単であるから、製作が容易となる。
【００１０】
また、前記両スライドガイド２２には合成樹脂製のパッキン２５，２６が内装されているから、エキスパンション手摺りの通常使用時にジョイント手摺り２，３の横枠５，６及びスライドガイド２２を形成する金属材どうしが当たって不快音を発するようなことがなく、環境を害することがない。また、両スライドガイド２２の小口に小口塞ぎ板２７を取り付けたことによって、スライドガイド２２の内部への雨水の浸入を防止できると共に、スライドガイド２２の内部を隠蔽して、外観上の体裁を良くすることができる。
【００１１】
請求項２に係る発明によれば、スライド回転ヒンジ１１は、各ジョイント手摺り２，３の縦枠８に取り付けられたヒンジ部材１７と、この縦枠側ヒンジ部材７の上部又は下部に隣接して前記端部支柱４に取り付けられたヒンジ部材１８と、両ヒンジ部材１７，１８の合計長さよりも長く、両ヒンジ部材１７，１８間に亘って回転可能で且つ上下スライド可能に挿通されたヒンジ軸１９とからなるもので、構造がきわめて簡単であるため、製作が容易であると共に、メンテナンスも容易となる。
【発明を実施するための最良の形態】
【００１２】
以下に本発明の好適な一実施形態を図面に基づいて説明すると、図１は本発明に係るエキスパンション手摺りをベランダの上方より見たような斜視図、図２は同エキスパンション手摺りをベランダの外側から見た斜視図、図３の(a) は同エキスパンション手摺りをベランダの外側から見た正面図、(b) は(a) のＸ−Ｘ線断面図、(c) は(a) のＹ−Ｙ線断面図であり、これらの図に示すエキスパンション手摺りは、隣接する建物Ａと建物Ｂとの隙間Ｓに亘ってそのベランダパラペットＰ，Ｐ間に介装されたものである。
【００１３】
このエキスパンション手摺りは、図１及び図２に示すように、一方の建物Ａ側の手摺り１Ａの端部支柱４と、これに対向する他方の建物Ｂ側の手摺り１Ｂの端部支柱４との間に、夫々上下横枠５，６及び左右縦枠７，８からなる周枠９を有する一対のジョイント手摺り２，３を夫々一部が引き違い式に重なり合うように配置し、両ジョイント手摺り２，３の互いに重なり合う横枠５，５、６，６どうしを一対の横枠連結手段１０によって手摺り長手方向スライド可能に連結し、両ジョイント手摺り２，３の互いに重なり合う縦枠７とは反対側の縦枠８をこれに隣接する前記端部支柱４に対しスライド回転ヒンジ１１によって上下方向スライド可能で且つ回転可能に連結したものである。
【００１４】
上記エキスパンション手摺りの構造について更に詳しく説明すれば、各ジョイント手摺り２，３は、上下横枠５，６及び左右縦枠７，８からなる周枠９に複数の立格子１２を配設することによって形成され、また建物Ａ側の手摺り１Ａ及び建物Ｂ側の手摺り１Ｂは、夫々ジョイント手摺り２，３に隣接する側でパラペットＰ上に立設された端部支柱４と、ジョイント手摺り２，３から遠ざかる側でパラペットＰ上に立設された支柱１３と、これら支柱４，１３間の上部及び下部に夫々横架された上下横枠１４，１５と、上下横枠１４，１５間に配設された複数の立格子１６とによって構成される。各ジョイント手摺り２，３を構成する上下横枠５，６、左右縦枠７，８及び立格子１２は夫々アルミ押出型材からなり、また建物Ａ，Ｂ側の手摺り１Ａ，１Ｂを構成する支柱４，１３、上下横枠１４，１５及び立格子１６も夫々アルミ押出型材からなる。
【００１５】
スライド回転ヒンジ１１は、図１〜図３及び図４に示すように、各ジョイント手摺り２，３を構成する縦枠８の上部側と下部側とに取り付けられたヒンジ部材１７と、このヒンジ部材１７の下側に隣接するように建物Ａ，Ｂ側の手摺り１Ａ，１Ｂの端部支柱４に取り付けられたヒンジ部材１８と、上下に隣接する両ヒンジ部材１７，１８の長さの合計よりも長く且つ両ヒンジ部材１７，１８間に亘って回転可能で且つ上下スライド可能に挿通されたボルト（ヒンジ軸）１９と、このヒンジ軸１８の下端部に螺着されたナット２０，２１と、からなるもので、下部側ヒンジ部材１８と上部側ナット２０との間にはスライド用隙間１９ｓが設けられ、下部側ナット２１はロックナットとされる。各ヒンジ部材１７，１８は鋼製のものからなる。
【００１６】
前記一対の横枠連結手段１０は、図１〜図３及び図５〜図６、特に図１に明瞭に示すように、前記スライド回転ヒンジ１１に連結される前記縦枠８側とは反対側の前記両ジョイント手摺り２，３の夫々遊端側に設けられ、そのうち一方の横枠連結手段１０は、一方のジョイント手摺り２の上横枠５と下横枠６とに上方及び下方から夫々横枠長手方向スライド可能に嵌合する断面コ字状のスライドガイド２２を夫々有するガイド取付片２３を、他方のジョイント手摺り３の上横枠５と下横枠６との遊端側に夫々ビス２４で取り付けると共に、他方の横枠連結手段１０は、他方のジョイント手摺り３の上横枠５と下横枠６とに上方及び下方から夫々横枠長手方向スライド可能に嵌合する断面コ字状のスライドガイド２２を夫々有するガイド取付片２３を、前記一方のジョイント手摺り２の上横枠５と下横枠６との遊端側に夫々ビス２４で取り付けてなるものである。尚、図６に示す横枠連結手段１０は、一方の横枠連結手段１０を示したもので、一方のジョイント手摺り２の上横枠５と下横枠６とに嵌合するスライドガイド２２を夫々有するガイド取付片２３を、他方のジョイント手摺り３の上横枠５と下横枠６との遊端側に夫々ビス２４で取り付けた状態のみを示している。スライドガイド２２とガイド取付片２３とはアルミ押出型材からなる一体物である。
【００１７】
また図６の(b) に示すように、各スライドガイド２２には所要の合成樹脂製パッキン２５，２６が内装されているから、通常時に金属どうしが当たって不快音を発することがなくなる。
【００１８】
そして、図５の(a) ，(b) 及び図６の(a) に示すように、各スライドガイド２２の前後両端面、即ち小口には、アルミ製の小口塞ぎ板２７が取り付けられており、これによってスライドガイド２２の内部への雨水の浸入を防止できると共に、スライドガイド２２の内部を隠蔽して、外観上の体裁を良くすることができる。
【００１９】
上記のような構成からなるエキスパンション手摺りによれば、一方の建物Ａ側の手摺り１Ａの端部柱４と、これに対向する他方の建物Ｂ側の手摺り１Ｂの端部支柱４との間に、夫々上下横枠５，６及び左右縦枠７，８からなる周枠９を有する一対のジョイント手摺り２，３が夫々引き違い式に重なり合うように配置されていて、両ジョイント手摺り２，３の互いに重なり合う横枠５，５どうしが一対の横枠連結手段１０によって手摺り長手方向スライド可能に連結され、両ジョイント手摺り２，３の互いに重なり合う縦枠７とは反対側の縦枠８がこれに隣接する前記端部支柱４に対しスライド回転ヒンジ１１によって上下方向スライド可能で且つ回転可能に連結されているから、地震発生時における建物Ａ，Ｂ間変位のＸ軸の動き、即ち手摺り長さ方向の動きに対しては、両ジョイント手摺り２，３が追随することができ、そしてＹ軸である手摺り高さ方向の動き及びＺ軸の動きである手摺りの前後方向（内外方向）に対してはスライド回転ヒンジ１１が追随することができ、従って建物Ａ，Ｂ側の手摺り１Ａ，１Ｂ及びジョイント手摺り２，３の破壊、破損が免れ、安全に避難することができる。
【００２０】
このエキスパンション手摺りにおいて、一対の横枠連結手段１０は、一方のジョイント手摺り２の上横枠５と下横枠６とに上方及び下方から夫々横枠長手方向スライド可能に嵌合する断面コ字状のスライドガイド２２に夫々連結されたガイド取付片２３を、他方のジョイント手摺り３の上横枠５と下横枠６との遊端側に夫々取り付けたものと、他方のジョイント手摺り３の上横枠５と下横枠６とに上方及び下方から夫々横枠長手方向スライド可能に嵌合する断面コ字状のスライドガイド２２に夫々連結されたガイド取付片２３を、一方のジョイント手摺り３の上横枠５と下横枠６との遊端側に夫々取り付けたものと、からなるもので、構造がきわめて簡単であるから、製作が容易となる。
【００２１】
またスライドガイド２２には合成樹脂製のパッキン２５，２６が内装されているから、エキスパンション手摺りの通常使用時にジョイント手摺り２，３の横枠５，６及びスライドガイド２２を形成する金属材どうしが当たって不快音を発するようなことがなく、環境を害することがない。
【００２２】
また、スライド回転ヒンジ１１は、各ジョイント手摺り２，３の縦枠８に取り付けられたヒンジ部材１７と、この縦枠側ヒンジ部材７の上部又は下部に隣接して前記端部支柱４に取り付けられたヒンジ部材１８と、両ヒンジ部材１７，１８の長さの合計よりも長く、両ヒンジ部材１７，１８間に亘って回転可能で且つ上下スライド可能に挿通されたヒンジ軸１９とからなるもので、構造がきわめて簡単であるため、製作が容易であると共に、メンテナンスも容易となる。
【図面の簡単な説明】
【００２３】
【図１】本発明に係るエキスパンション手摺りをベランダの上方より見たような斜視図である。
【図２】同エキスパンション手摺りをベランダの外側から見た斜視図である。
【図３】(a) は同エキスパンション手摺りをベランダの外側から見た正面図、(b) は(a) のＸ−Ｘ線断面図、(c) は(a) のＹ−Ｙ線断面図である。
【図４】(a) はスライド回転ヒンジを示す正面図、(b) は(a) のＺ−Ｚ線断面図である。
【図５】(a) は横枠連結手段を示す正面図、(b) は同横枠連結手段を示す平面図である。
【図６】(a) は図３の(a) のＶ−Ｖ線断面図、(b) は図３の(a) のＷ−Ｗ線断面図である。
【符号の説明】
【００２４】
Ａ，Ｂ          建物
１Ａ，１Ｂ      建物側の手摺り
２，３          ジョイント手摺り
４              建物側手摺りの支柱
５，６          ジョイント手摺りの横枠
７，８          ジョイント手摺りの縦枠
９              ジョイント手摺りの周枠
１０            横枠連結手段
１１            スライド回転ヒンジ
２２            スライドガイド
２３            ガイド取付片
２４ ビス
２５，２６      パッキン
２７            小口塞ぎ板
【図１】
0005144187.tif 000002
【図２】
0005144187.tif 000003
【図３】
0005144187.tif 000004
【図４】
0005144187.tif 000005
【図５】
0005144187.tif 000006
【図６】
0005144187.tif 000007